(57)【特許請求の範囲】
【請求項１】
ボイドの発生、ボトムアップフィルおよびオーバーフィルを抑制するイオウ系有機物のめっき添加剤が添加されためっき液を用いて、銅めっき膜を形成する工程と、
前記銅めっき膜表層に含有もしくは析出している前記めっき添加剤成分に対して反応・結合するＮＣＳＳ構造を持つメルカプトチアゾール系化合物の研磨添加剤が添加された電解研磨液を用いて、前記銅めっき膜を電解研磨する工程と
を備えたことを特徴とする銅膜の製造方法。
【発明の詳細な説明】
【０００１】
【発明の属する技術分野】
本発明は、銅膜の製造方法に関し、詳しくは銅めっき膜を形成した後に電解研磨を行って、凹凸を平坦化する銅膜の製造方法に関する。
【０００２】
【従来の技術】
めっき技術の進展にともない、課題であった接続孔や溝を埋め込むようにめっきを行った際に、接続孔や溝内に空洞（ボイドという）を抑制したいわゆるボイドレスでの埋め込み、底部からの埋め込みを満たすこと（ボトムアップフィル）や、オーバーフィル抑制の目的でめっき時の電解液には種々の添加剤が加えられるようになった。
【０００３】
上記電解液に添加される添加剤の成分は、成膜された銅膜にも取り込まれ、各々の結晶の粒界に沿って電解促進または抑制するような添加剤濃度の高い部分では電解条件が変化するため、均一な電解除去を困難にしていた。そのため、埋め込み配線を均一に形成することを難しくしていた。
【０００４】
結果として、配線材料の銅の研磨残りやオーバー研磨による局所的な不均一性による配線のショートやオープンが発生する。また表面粗度が粗い不安定な面が形成される。オーバー研磨による配線部のリセッション（後退）による配線断面積の不足が生じる。ディッシングによる面内均一性が不足する。腐食（コロージョン）が発生する、等の不良を発生する問題点があった。
【０００５】
電解めっきによる銅の成膜は、１９９７年９月にＩＢＭ社が銅配線技術を発表して以来、半導体メーカーは銅めっき技術の開発に力を注いできた。めっきの第一段階では、ボイドレスで埋め込むことが課題であった。ボイドレスの実現はボトムアップが重要であり、添加剤の制御である程度の目処がたったといわれている。ボトムアップ（溝や接続孔の底部からの埋め込み）のためにはめっき時に、キャリアとブライトナの２成分系添加剤を用いることが開発された。
【０００６】
キャリアは、基本的には導電性が低く、電流を抑制してめっき作用を抑制する高分子で、溝や接続孔の底部に入り込み難く、ウエハ平面に溜まる性質を有している。例えば、ポリエチレングリコール（ＰＧＡ）などがある。このめっき液中にキャリアが含まれていないと、ウエハ表面も溝や接続孔の底部と同じくらいの高さのめっきが堆積してしまう。
【０００７】
ブライトナは、基本的にはイオン化して導電性を良くして電流を増大させ、めっき作用を促進する働きがある。溝や接続孔の底部に侵入し、底に滞留して常に析出する銅の表層に移動していく事で、ボトムアップフィルを行う。埋め込み完了後も、その部分の濃度が高いため、他の部分に比べて析出が早く、ハンプ（ＨｕｍｐまたはＢｕｍｐ）と呼ばれる盛り上がり、すなわちオーバーフィルを形成してしまう。ブライトナには、例えば、硫黄系化合物のＭＰＳＡ（メルカプトチアゾール）、ピロリジンジチオカルバミン酸アンモニウム、アゾ染料などが用いられている。
【０００８】
また、めっきの第２段階では、上記添加剤によりボイドレスでの埋め込みは可能になったものの、ボトムアップ効果により発生してしまうオーバーフィルが問題となり、さらに下記添加剤を加えた３成分系が用いられるようになった。
【０００９】
例えば、レベラを添加する。このレベラは、キャリア−ブライトナの２成分系では、キャリアが接続孔や溝に浸入したブライトナの促進効果を止めきれず、結果的にはオーバーフィルになる。基本的にキャリアと同じめっき抑制の働きがあり、電位の集中する開口部に付着する。このためオーバーハングを防止しながらブライトナによってボトムアップされた埋め込みを接続孔や溝の開口部で捕らえ、最終的にオーバーフィルを抑えるものである。
【００１０】
【発明が解決しようとする課題】
しかしながら、埋め込まれた銅膜中に取り込まれた添加剤のうち、ビア底に浸入し、めっき促進に寄与したブライトナが結晶成長によるボトムアップの後に結晶成長の過程で結晶粒界に残存、析出し、特に粒界三重点や配線用の溝（くぼみ）であった部分では、高濃度になる。例えば、図４に示すように、絶縁膜３１に形成された溝３２内に電解めっきにより埋め込まれた銅めっき膜３３は、溝３２の銅めっき膜部分にめっき添加剤４１（特にブライトナ）が高濃度に残留する。そして通常の電解研磨をこの銅めっき膜３３に対して行った場合、図４の（２）に示すように、めっき添加剤４１が高濃度に残留する部分への電流集中により、その部分が選択的に先行溶出して、銅めっき膜３３に例えばピット５１が発生する。結果として、表面平滑性の不足により所望の埋め込み配線形成をすることが困難となる。図示はしないが、銅めっき膜の形成粒界部分でも同様に、めっき添加剤（特にブライトナ）が集中しやすいので、電解研磨時に先行溶出や異常溶出ピットが発生し、結果として、電解研磨面が凹凸面になる。
【００１１】
【課題を解決するための手段】
本発明は、上記課題を解決するためになされた銅膜の製造方法である。
【００１２】
本発明の銅膜の製造方法は、ボイドの発生、ボトムアップフィルおよびオーバーフィルを抑制するイオウ系有機物のめっき添加剤が添加されためっき液を用いて、銅めっき膜を形成する工程と、前記銅めっき膜表層に含有もしくは析出している前記めっき添加剤成分に対して反応・結合するＮＣＳＳ構造を持つメルカプトチアゾール系化合物の研磨添加剤が添加された電解研磨液を用いて、前記金属めっき膜を電解研磨する工程とを備えている。
【００１３】
上記銅膜の製造方法では、めっき液にボイドの発生、ボトムアップフィルおよびオーバーフィルを抑制する目的のめっき添加剤が添加されているので、成膜後のめっき膜表層の結晶粒界や配線部分には、特に上記めっき添加剤の成分が高濃度に含有あるいは析出しようとするが、上記めっき液には、上記めっき添加剤成分に対して優先的に反応・結合する研磨添加剤が添加されていることから、この研磨添加剤が選択的に結晶粒界部分を覆い、電解電流を抑制あるいは遮断し、電解溶出に対して部分的に保護・抑制を行う。このため、局所的な電流集中による先行溶出が抑えられ、電解表面は、結晶粒界や配線部分での先行溶出や異常溶出ピットによる凹凸面になることが抑制され、表面平滑性に優れた研磨面となる。
【００１４】
【発明の実施の形態】
本発明の銅膜の製造方法に係る第１の実施の形態を、図１の概略構成断面図によって説明する。図１では、一例として、半導体装置に用いられる溝配線を形成する工程における金属めっき膜（銅めっき膜）のめっき工程とめっき形成した銅めっき膜の電解研磨工程を示す。
【００１５】
図１の（１）に示すように、基板（図示せず）上には絶縁膜１１が形成され、この絶縁膜１１には配線溝１２が形成されている。通常、溝配線形成では、配線溝１２の内面にバリア層１３が形成され、そのバリア層１３表面に密着層（銅シード層）１４が形成されている。上記バリア層１３は例えばスパッタリングによって成膜された窒化タンタル膜からなる。また上記密着層１４は例えばスパッタリングによって成膜された銅膜からなる。このような構成の配線溝１２の内部を埋め込むように電解めっきにより銅めっきを行う。
【００１６】
上記銅めっきは、めっき液に、ボイドの発生、ボトムアップフィルおよびオーバーフィルを抑制するイオウ系有機物のめっき添加剤が添加されたものを用いる。その結果、図１の（２）に示すように、配線溝１２を埋め込むように、上記バリア層１３、密着層１４を介して絶縁膜１１上に金属めっき膜である銅めっき膜１５が形成される。
【００１７】
次いで図１の（３）に示すように、電解研磨により上記銅膜１６（銅めっき膜１５と密着層１４）を電解研磨する。この電解研磨は、上記銅めっき膜１５表層に含有もしくは析出している上記めっき添加剤成分に対して反応・結合する研磨添加剤が添加された電解研磨液を用いて行う。なお（３）図は電解研磨途中の状態を示す。その結果、図１の（４）に示すように、配線溝１２内にバリア層１３を介して銅膜１６が埋め込まれた構成を得ることができる。その後、既知の除去方法（例えば化学的機械研磨、エッチング等の方法）により絶縁膜１１上の余剰なバリア層１３の除去を行う。
【００１８】
上記電解研磨液の具体例を以下に説明する。
【００１９】
電解研磨液の基本となる電解液には、通電するための電解質として、リン酸、ピロリン酸、リン酸アンモニウム、硫酸銅、硫酸アンモニウム、硫酸等を用いることができる。
【００２０】
上記電解液中の銅イオン濃度の調整剤としては、グリシン、ピロリン酸銅、硫酸銅等を用いることができる。
【００２１】
上記電解液の銅水溶性錯体の形成剤としては、エチレンジアミン、ピロリン酸カリウム、シアン、およびプロピオン酸、シュウ酸、酢酸等の有機酸を用いることができる。
【００２２】
上記電解液の銅不動態膜の形成剤としては、キナルジン酸、アントラニル酸等を用いることができる。
【００２３】
上記電解液のｐＨ調整剤としては、水酸化ナトリウム、水酸化カリウム、アンモニア水、硫酸、リン酸、およびカルボン酸、酢酸、シュウ酸等の有機酸を用いることができる。
【００２４】
上記電解液には、界面活性剤が添加されている。
【００２５】
上記電解液には、本発明の特徴とする上記銅めっき膜１５表層に含有もしくは析出している上記イオウ系有機物のめっき添加剤の成分に対して反応・結合する研磨添加剤が添加されている。この研磨添加剤としては、ＮＣＳＳ構造を持つメルカプトチアゾール系化合物を用いることができる。
【００２６】
さらに、上記電解液には、めっき添加剤のイオウ系有機物に対して反応・結合する研磨添加剤が作用する領域の導電性を低下させるための絶縁基として、ベンゼン環を含む化合物、高分子有機物等が添加されている。
【００２７】
上記製造方法では、めっき時に、ボイドの発生、ボトムアップフィルおよびオーバーフィルを抑制する目的のイオウ系有機物のめっき添加剤が添加されているめっき液を用いて銅めっき膜１５を形成することから、銅めっき膜１５の成膜後は表層の結晶粒界や、配線溝１２内に形成される配線部分に、高濃度に含有もしくは析出しているめっき添加剤の成分、主としてブライトナが存在する。このブライトナとしては例えばイオウ系有機物がある。
【００２８】
このように残存しているめっき添加剤の成分に対して反応・結合する研磨添加剤が添加された電解研磨液を用いて銅膜１６の電解研磨を行うので、研磨添加剤がめっき添加剤の成分（特にブライトナ）に対して優先的に反応・結合することで、選択的に結晶粒界部分を覆い、電解電流を抑制あるいは遮断し、電解溶出しやすい部分が保護されて、結晶粒界部分の局所的な電解溶出によるピットの発生が抑制され、平滑な最終表面を得ることが可能になる。
【００２９】
次に、図２によって、上記電解研磨の機構を説明する。
【００３０】
図２に示すように、銅めっき膜１５を電解研磨する場合には銅めっき膜１５側を正極にする。その際、銅めっき膜１５の金属結合表面が電解液と接液した表面１５Ｓは、―ＯＨ基（水酸基）と水素結合した水酸化物表面になっている。また、結晶粒界に分布もしくは析出した有機化合物Ｓ（主にめっき添加剤のうち特にブライトナ）の例えばイオウ系有機物は、その状態では―ＯＨ基の結合した水酸化物表面より電気（イオン）伝導性が高くなっている。そのため、銅めっき膜１５が一様に電圧印加された場合、結晶粒界部分に電流集中が起こり選択的優先的にその部分が電解作用を受ける。
【００３１】
ところが、上記有機化合物Ｓに上記研磨添加剤（例えばＮＣＳＳ構造を持つメルカプトチアゾール系化合物）が反応・結合した場合、この研磨添加剤に結合しているベンゼン環等の電気（イオン）導電性の低い物質面を介した状態での電解研磨液との接液となるので、―ＯＨ基の結合した水酸化物の状態より導電性が低くなる。このため、電流は、めっき添加剤が集中している部分（結晶粒界分等）以外の大部分の水酸化物表面に分散するようになるので、めっき添加剤が集中している部分（結晶粒界分等）での選択的溶出は発生せず、大部分のめっき添加剤が集中している部分（結晶粒界分等）以外の結晶面から電解溶出作用が起こる。よって、被研磨面にピット等の凹凸を発生することなく、電解溶出により被研磨面を平坦化することができる。
【００３２】
次に、本発明の金属膜の製造方法に係る第２の実施の形態を、以下に説明する。
【００３３】
前記図１によって説明した製造方法において、電解めっきによる銅膜を形成するめっき工程後でその銅膜を電解研磨する研磨工程前に、銅膜の結晶粒界を保護する前処理剤による前処理工程を行う。この前処理工程の前処理剤には、銅表面へのエッチング作用を持たず、めっき時に添加される有機物もしくはめっき促進剤と優先的に反応するための反応基と、通電妨害するため絶縁基をもつ物質を添加剤とした溶液を用いることができる。例えば、前記第１の実施の形態で説明した電解研磨液を用いることができる。この電解研磨液では、上記研磨添加剤が上記反応基をもつ物質であり、ベンゼン環を含む化合物、高分子有機物が絶縁基をもつ物質となる。
【００３４】
この前処理では、上記研磨添加剤が添加された電解液を用い、上記電解研磨の前に銅めっき膜に電圧を印加しないで、銅めっき膜表面を電解研磨液に所定時間接触させることにより上記前処理を行うことができる。
【００３５】
その結果、銅めっき膜表面の結晶粒界部分や配線溝内の銅めっき膜部分に高濃度に析出した有機物、めっき促進剤等と上記反応基とが反応し、且つその反応生成物がこの部分に選択付着して導電性を悪くすることにより、通電により銅めっき膜表面が電解されるときの電流集中による選択溶出、結晶粒界部分での先行溶出、異常溶出を防止して平滑な電解表面を形成する。
【００３６】
次に、銅膜の製造方法に係る第３の実施の形態を、図３の概略構成断面図によって説明する。
【００３７】
図３の（１）に示すように、基板（図示せず）上には絶縁膜１１が形成され、この絶縁膜１１には配線溝１２が形成されている。通常、溝配線形成では、配線溝１２の内面にバリア層１３が形成され、そのバリア層１３表面に密着層（銅シード層）１４が形成されている。上記バリア層１３は例えばスパッタリングによって成膜された窒化タンタル膜からなる。また上記密着層１４は例えばスパッタリングによって成膜された銅膜からなる。このような構成の配線溝１２の内部を埋め込むように電解めっきにより銅めっきを行う。
【００３８】
上記銅めっきは、めっき液に、ボイドの発生、ボトムアップフィルおよびオーバーフィルを抑制するめっき添加剤が添加されたものを用いる。その結果、配線溝１２を埋め込むように、上記バリア層１３、密着層１４を介して絶縁膜１１上に金属めっき膜である第１の銅めっき膜２１が形成される。
【００３９】
続いて、図３の（２）に示すように、電解めっきにより、上記第１の銅めっき膜２１上に第２の銅めっき膜２２を形成する。この銅めっきは、前記第１の実施の形態で説明しためっき添加剤、特にはボトムアップ目的の添加剤を含まないもので等方的なめっきが行える電解液を用いた等方的めっき処理により行う。
【００４０】
次いで図３の（３）に示すように、電解研磨により銅膜１６（上記第２の銅めっき膜２２、第１の銅めっき膜２１および密着層１４）を電解研磨する。この電解研磨は、通常の電解研磨液を用いて行ってもよく、また第１の実施の形態で用いた研磨添加剤が添加された電解研磨液を用いて行ってもよい。なお（３）図は電解研磨途中の状態を示す。その結果、図３の（４）に示すように、配線溝１２内にバリア層１３を介して銅膜１６が埋め込まれた構成を得ることができる。その後、既知の方法（例えば化学的機械研磨、エッチング等の方法）により絶縁膜１１上の余剰なバリア層１３の除去を行う。
【００４１】
上記製造方法では、ボイドの発生、ボトムアップフィルおよびオーバーフィルを抑制するめっき添加剤が添加されためっき液を用いて形成した第１の銅めっき膜２１には、特にその表層の結晶粒界部分や配線溝１２内には、上記めっき添加剤成分が高濃度に含有もしくは析出している。しかしながら、上記めっき添加剤を含まず、等方的なめっきが行える電解液を用いためっき処理により、第１の銅めっき膜２１上に第２の銅めっき膜２２を形成したので、結晶粒界部分や配線溝１２内に高濃度に含有もしくは析出していためっき添加剤成分は、第２の銅めっき膜２２の最表層に等方的均質に分散される。このため、第２の銅めっき膜２２、第１の銅めっき膜２１等の電解研磨を行っても、結晶粒界部分や溝配線部分での異常溶出、先行溶出が防止されるので、ピットの発生や結晶粒界部分の段差がない平滑な電解研磨表面の形成が可能となる。
【００４２】
上記説明では、一例として、配線溝内に銅めっき膜を形成した後、電解研磨によって配線溝内に主として銅めっき膜からなる配線を形成する技術を説明したが、配線溝の代わりに配線溝と接続孔とが形成されている場合、もしくは接続孔のみが形成されている場合であって、それらの配線溝や接続孔内に埋め込むように銅めっき膜を形成した後、電解研磨により溝配線やプラグを形成する場合にも、本発明の技術を適用することができる。また、本発明の技術は半導体装置の溝配線形成技術への適用に限定されず、銅めっき膜を形成した後にその銅めっき膜を電解研磨する場合に適用することができる。
【００４３】
【発明の効果】
以上、説明したように本発明の銅膜の製造方法によれば、めっき添加剤成分（特にブライトナ）に対して優先的に反応・結合する研磨添加剤が添加されている電解研磨液を用いて銅めっき膜を電解研磨するので、銅めっき膜表層にめっき添加剤（特にブライトナ）が高濃度に残存・析出していても、研磨添加剤によってめっき添加剤が集中している部分を覆うことができ、その部分の電解電流を抑制もしくは遮断することができる。このため、局所的な電流集中による先行溶出、異常溶出が抑えられるので、表面平滑性に優れた電解研磨面を得ることができる。
【図面の簡単な説明】
【図１】  本発明の銅膜の製造方法に係る第１の実施の形態を示す概略構成断面図である。
【図２】  本発明の銅膜の製造方法に係る電解研磨の機構を示す図である。
【図３】  第３の実施の形態を示す概略構成断面図である。
【図４】  課題を説明する概略構成断面図である。
【符号の説明】
１５…銅めっき膜
【図１】
0004042408.tif 000002
【図２】
0004042408.tif 000003
【図３】
0004042408.tif 000004
【図４】
0004042408.tif 000005